(57)【要約】【課題】和室の景観を損ねることなく、襖の表面側と裏面側を通気させることができる襖の通気構造を得る。【解決手段】襖１２を構成する建具本体１８と縁部材２０の間にスペーサ部材２８を設けることによって、建具本体１８と縁部材２０の間に、建具本体１８の表面１８Ａ側と裏面１８Ｃ側を通気させる通気路３０が設けられるようにしている。さらに、襖１２に設けられた通気路３０及び当該通気路３０を形成するためのスペーサ部材２８は意匠側に露出しないようにしている。これにより、襖１２に通気路３０を設けても和室１４の景観が損なわれないようにすることができる。【選択図】図１
2017223098.tif 000002
【特許請求の範囲】
【請求項１】
建物の屋内の空間を第１空間部と第２空間部に区画する襖を構成する建具本体と、
前記建具本体の外端部を挟持するように当該建具本体の外周に設けられた縁部材と、
前記縁部材の内面側に設けられ、当該縁部材と前記建具本体の間に形成され、前記第１空間部と前記第２空間部を通気させる通気路と、
を有する襖の通気構造。
【請求項２】
前記通気路は、前記建具本体と前記縁部材の間に配置されたスペーサ部材により、当該建具本体と当該縁部材の間に形成された隙間である請求項１に記載の襖の通気構造。
【請求項３】
前記スペーサ部材は、３つの板材で一体的に構成されコ字状を成している請求項２に記載の襖の通気構造。
【請求項４】
前記通気路は、前記建具本体又は前記縁部材に形成された凹部又は凸部により、当該建具本体と当該縁部材の間に形成された隙間である請求項１に記載の襖の通気構造。
【発明の詳細な説明】
【技術分野】
【０００１】
本発明は、襖の通気構造に関する。
【背景技術】
【０００２】
例えば、下記特許文献１には、襖の上端側及び下端側に、襖の表面と裏面とをつなぐ通気孔が形成された通気板がそれぞれ設けられ、襖の表面側と裏面側の間を通気させる技術が記載されている。
【先行技術文献】
【特許文献】
【０００３】
【特許文献１】実用新案登録第３１２０７３９号公報
【発明の概要】
【発明が解決しようとする課題】
【０００４】
しかしながら、この先行技術では、襖の上端側及び下端側にそれぞれ通気板を設けるため、襖及び襖が設けられている和室の景観を損ねる可能性がある。
【０００５】
本発明は上記事実に鑑みてなされたものであり、和室の景観を損ねることなく、襖の表面側と裏面側を通気させることができる襖の通気構造を提供することを目的とする。
【課題を解決するための手段】
【０００６】
上記目的を達成するために、第１の態様に係る襖の通気構造は、建物の屋内の空間を第１空間部と第２空間部に区画する襖を構成する建具本体と、前記建具本体の外端部を挟持するように当該建具本体の外周に設けられた縁部材と、前記縁部材の内面側に設けられ、当該縁部材と前記建具本体の間に形成され、前記第１空間部と前記第２空間部を通気させる通気路と、を有している。
【０００７】
第１の態様に係る襖の通気構造では、建物の屋内の空間が襖によって第１空間部と第２空間部に区画されている。この襖は建具本体によって構成されており、建具本体の外周には、建具本体の外端部を挟持するように縁部材が設けられている。ここで、縁部材の内側には、当該縁部材と建具本体の間には、第１空間部と第２空間部を通気させる通気路が設けられている。
【０００８】
近年、建物において、全館空調システムが採用されつつある。この全館空調システムでは、屋内における温度差を抑制し温度を一定に維持するため、屋内の空気を循環させるように構成されている。
【０００９】
このため、本態様では、屋内の空間を第１空間部と第２空間部に区画する襖に通気路が用いられ、当該通気路によって第１空間部と第２空間部を通気させる通気路を確保することができるので、全館空調システムが採用される建物に当該襖を用いることができる。また、通気路は、建具本体と縁部材の間に当該縁部材と重なって設けられている。つまり、通気路は、意匠側に露出しないように構成されるため、本態様では、和室の景観を損ねることはない。
【００１０】
第２の態様に係る襖の通気構造は、第１の態様に係る襖の通気構造において、前記通気路は、前記建具本体と前記縁部材の間に配置されたスペーサ部材により、当該建具本体と当該縁部材の間に形成された隙間である。
【００１１】
第２の態様に係る襖の通気構造では、通気路は、建具本体と縁部材の間に配置されたスペーサ部材により形成されている。建具本体と縁部材の間にスペーサ部材が配置されると、当該スペーサ部材が配置されていない箇所では、建具本体と縁部材の間には隙間が設けられることになる。この隙間が通気路となり、当該隙間を通じて、襖の表面側と裏面側とを通気させることができる。
【００１２】
第３の態様に係る襖の通気構造は、第２の態様に係る襖の通気構造において、前記スペーサ部材は、３つの板材で一体的に構成されコ字状を成している。
【００１３】
一般に、建具本体は板状を成しており、建具本体と縁部材とが当接する当接面は３面となる。建具本体と縁部材の間にスペーサ部材を設ける場合、建具本体側及び縁部材側の各当接面に対応して３つのスペーサが必要となる。
【００１４】
しかし、第３の態様に係る襖の通気構造では、スペーサ部材は、３つの板材で一体的に構成されコ字状を成しているため、１つのスペーサ部材で建具本体側及び縁部材側の各当接面に当接させることができる。これにより、建具本体にスペーサ部材を取付ける際の作業性が向上する。
【００１５】
第４の態様に係る襖の通気構造は、第１の態様に係る襖の通気構造において、前記通気路は、前記建具本体又は前記縁部材に形成された凹部又は凸部により、当該建具本体と当該縁部材との間に形成された隙間である。
【００１６】
第４の態様に係る襖の通気構造では、例えば、建具本体（又は縁部材）に凹部が形成されることによって、当該凹部では、縁部材（又は建具本体）との間で隙間が設けられることになる。このため、当該凹部が通気路となる。
【００１７】
一方、建具本体（又は縁部材）に凸部が形成された場合は、当該凸部が形成されていない領域において、縁部材（又は建具本体）との間で隙間が設けられることになる。このため、当該凸部が形成されていない領域が通気路となる。
【００１８】
本態様では、建具本体又は縁部材に凹部又は凸部が形成されることによって通気路が形成されるため、通気路を形成するためにスペーサ部材を設ける場合と比較して、部品点数を少なくすることができる。
【発明の効果】
【００１９】
以上説明したように、本発明に係る襖の通気構造は、和室の景観を損ねることなく、襖の表面側と裏面側を通気させることができる、という優れた効果を有する。
【図面の簡単な説明】
【００２０】
【図１】本実施の形態に係る襖の通気構造が適用された襖の上角部を示す斜視図である。
【図２】（Ａ）は、図１のＡ−Ａ線に沿って切断したときの断面図であり、（Ｂ）は、図１のＢ−Ｂ線に沿って切断したときの断面図である。
【図３】（Ａ）は、本実施の形態に係る襖の通気構造の変形例を示す図１に対応する斜視図であり、（Ｂ）は、図２（Ａ）に対応する断面図である。
【図４】（Ａ）は、本実施の形態に係る襖の通気構造の他の変形例を示す図１に対応する斜視図であり、（Ｂ）は、図２（Ｂ）に対応する断面図である。
【発明を実施するための形態】
【００２１】
以下に図面を参照しながら、本発明の実施の一形態に係る襖の通気構造について説明する。
【００２２】
（襖の通気構造の構成）
図１には、本実施の形態に係る襖の通気構造１０が適用された襖１２が示されている。この襖１２は、例えば、図示しない建物の屋内に設けられた空間を和室（第１空間部）１４と廊下（第２空間部）１６に区画している。襖１２は、矩形板状の建具本体１８を含んで構成されており、建具本体１８の外周には、例えばアルミニウム等で形成された縁部材２０が設けられている。
【００２３】
縁部材２０は、図２（Ａ）に示されるように、長手方向に対して直交する幅方向に沿って切断したときの断面形状が略コ字状を成しており、建具本体１８の外端部２２を挟持するようにして釘２４によって建具本体１８に固定されている。つまり、建具本体１８の外周を構成する４辺のそれぞれに縁部材２０が固定されている。
【００２４】
本実施形態では、少なくとも建具本体１８の四つの角部２６において、縁部材２０の内面２１側には、当該縁部材２０と建具本体１８の間に、例えば合板等で形成されたスペーサ部材２８がそれぞれ設けられている。なお、図１は、建具本体１８の四つの角部２６のうち、建具本体１８の上部側に位置する上角部２６Ａの１つが図示されている。
【００２５】
ここで、図１に示されるように、建具本体１８の上角部２６Ａには、建具本体１８の側端部２２Ａと縁部材２０、及び建具本体１８の上端部２２Ｂと縁部材２０の間に、スペーサ部材２８がそれぞれ設けられている。
【００２６】
具体的に説明すると、図１及び図２（Ａ）に示されるように、スペーサ部材２８は、矩形板状を成す３つのスペーサ部（板材）２８Ａ、２８Ｂ、２８Ｃで一体的に構成され、コ字状を成している。このスペーサ部２８Ａ、２８Ｂ、２８Ｃが、建具本体１８の表面１８Ａ、側端面１８Ｂ、裏面１８Ｃにそれぞれ当接する。
【００２７】
そして、スペーサ部材２８を間において、建具本体１８の外側には、当該建具本体１８の表面１８Ａ、側端面１８Ｂ、裏面１８Ｃに対応して、縁部材２０の表側壁２０Ａ、奥側壁２０Ｂ、裏側壁２０Ｃが、それぞれ釘２４を介して建具本体１８に固定される。なお、建具本体１８に縁部材２０が固定された状態で、スペーサ部材２８が意匠面側に露出しないよう、当該スペーサ部材２８の寸法は予め設定されている。
【００２８】
以上のようにして、スペーサ部材２８を間において、縁部材２０が建具本体１８に固定された状態で、当該スペーサ部材２８が設けられていない領域では、図２（Ｂ）に示されるように、建具本体１８の表面１８Ａ、側端面１８Ｂ、裏面１８Ｃと、縁部材２０の表側壁２０Ａ、奥側壁２０Ｂ、裏側壁２０Ｃとの間にそれぞれ隙間３０Ａ、３０Ｂ、３０Ｃが設けられている。そして、これらの隙間３０Ａ、３０Ｂ、３０Ｃは互いに連通し、建具本体１８の表面１８Ａ側と裏面１８Ｃ側を通気させる通気路３０となっている。
【００２９】
（襖の通気構造の作用及び効果）
一般に、図示はしないが、全館空調システムにおいて、和室に吹出口が設けられた場合、いわゆるリターン経路としてリターングリルが設けられる場合がある。この場合、このリターングリルは、壁に設けられることになるため、和室の景観を損ねてしまい、和室のプランニングの観点からも制約を受けてしまう。
【００３０】
これに対して、本実施形態では、図１及び図２（Ａ）に示されるように、襖１２を構成する建具本体１８と縁部材２０の間にスペーサ部材２８を設けることによって、図２（Ｂ）に示されるように、建具本体１８と縁部材２０の間に、建具本体１８の表面１８Ａ側と裏面１８Ｃ側を通気させる通気路３０が設けられるようにしている。
【００３１】
これにより、襖１２によって区画された第１空間部としての和室１４と第２空間部としての廊下１６が通気することとなり、当該通気路３０をリターン経路として利用することができる。
【００３２】
さらに、本実施形態では、図１及び図２（Ａ）、（Ｂ）に示されるように、襖１２の建具本体１８の表面１８Ａ側と裏面１８Ｃ側を通気させる通気路３０は、縁部材２０の内面２１側であって、当該縁部材２０と建具本体１８の間に設けられている。また、スペーサ部材２８は、建具本体１８に縁部材２０が固定された状態で意匠面側に露出しないよう設定されている。
【００３３】
すなわち、本実施形態では、襖１２に設けられた通気路３０及び当該通気路３０を形成するためのスペーサ部材２８は意匠側に露出しないため、当該襖１２に通気路３０を設けても和室１４の景観が損なわれないようにすることができる。したがって、本実施形態によれば、和室の景観を損ねることなく、襖１２の表面１８Ａ側と裏面１８Ｃ側を通気させることができる。
【００３４】
（その他の実施形態）
本実施形態では、図１及び図２（Ａ）に示されるように、スペーサ部材２８は、矩形板状を成す３つのスペーサ部２８Ａ、２８Ｂ、２８Ｃで一体的に構成され、コ字状を成す形状とされているが、建具本体１８と縁部材２０の間にスペーサを配置することができればよいため、これに限るものではない。
【００３５】
例えば、図３（Ａ）、（Ｂ）に示されるように、建具本体１８の表面１８Ａ、側端面１８Ｂ及び裏面１８Ｃ側にそれぞれ配置される板状の３つのスペーサ３２であってもよい。但し、この場合、スペーサ部材２８と比較すると、部品点数が増える。
【００３６】
また、本実施形態では、図１及び図２（Ａ）、（Ｂ）に示されるように、建具本体１８と縁部材２０の間にスペーサ部材２８が配置されているが、通気路３０を設けるにあたってこれに限るものではない。
【００３７】
例えば、図４（Ａ）、（Ｂ）に示されるように、縁部材３４において、当該縁部材３４の幅方向に沿って凹部３６又は凸部３８が形成されてもよい。つまり、縁部材２０に凹部３６又は凸部３８を設けることによって、建具本体１８と当該凹部３６との間には、隙間４０が設けられることになるが、この隙間４０が通気路４２となる。なお、図示はしないが、縁部材３４に代えて建具本体側に凸部又は凹部が形成されてもよい。
【００３８】
さらに、以上説明した本実施の形態の構成は一例であり、本発明は、上記に限定されるものでなく、上記以外にも、その主旨を逸脱しない範囲内において種々変形して実施可能であることは勿論である。
【符号の説明】
【００３９】
１０   襖の通気構造
１２   襖
１４   和室（第１空間部）
１６   廊下（第２空間部）
１８   建具本体
２０   縁部材
２１   内面（縁部材の内面）
２２   外端部（建具本体の外端部）
２８   スペーサ部材
２８Ａ スペーサ部（板材）
２８Ｂ スペーサ部（板材）
２８Ｃ スペーサ部（板材）
３０   通気路
３０Ａ 隙間
３０Ｂ 隙間
３０Ｃ 隙間
３２   スペーサ（スペーサ部材）
３４   縁部材
３６   凹部
３８   凸部
４０   隙間
４２   通気路
【図１】
2017223098.tif 000003
【図２】
2017223098.tif 000004
【図３】
2017223098.tif 000005
【図４】
2017223098.tif 000006